(57)【要約】【課題】ラップフィルム用箱の切断部を覆う。【解決手段】ラップフィルム用箱２は、箱体５と、箱体５の開口部５ａを覆う蓋体６と、ラップフィルム３２を切断するための切断部４と、を備える。蓋体６は、開口部５ａを覆う蓋本体部６１と、蓋本体部６１に連結され箱体５の外面に重ねられる重なり本体部６２１と、を有する。切断部４は、ラップフィルム３２の軸線Ｐに沿って延在するとともに、刃先４１ａが重なり本体部６２１の端縁６２１ｂ側に向けられた刃４１と、刃４１を重なり本体部６２１に固定する刃取付部４２と、を有する。重なり本体部６２１は、重なり本体部６２１を屈曲させる屈曲部Ｋを有する。屈曲部Ｋは、刃４１の刃先４１ａと刃取付部４２との間の位置において、巻芯３１の軸線Ｐに沿って延在する。【選択図】図７
2020183257.tif 000002
【特許請求の範囲】
【請求項１】
巻芯に巻き回されたラップフィルムを収容するラップフィルム用箱であって、
開口部を有し、前記ラップフィルムを収容する箱体と、
前記箱体の前記開口部を覆う蓋体と、
前記ラップフィルムを切断するための切断部と、
を備え、
前記蓋体は、
前記箱体の開口縁のうち前記箱体に収容される前記ラップフィルムの前記巻芯の軸線に沿った部位に揺動可能に連結され、前記開口部を覆う蓋本体部と、
前記蓋本体部における前記箱体に連結される側とは反対側の端縁に連結され、前記蓋本体部によって前記開口部が覆われたときに前記箱体の外面に重ねられる蓋側重なり部と、
を有し、
前記切断部は、前記蓋側重なり部における前記箱体の外面に重ねられる側の面に取り付けられるとともに、前記蓋側重なり部の外縁よりも内側の位置に設けられ、
さらに、前記切断部は、
前記箱体に収容される前記ラップフィルムの前記巻芯の軸線に沿って延在するとともに、刃先が前記蓋側重なり部における前記蓋本体部に連結される側とは反対側に向けられた刃と、
前記刃における前記刃先とは反対側の端部に連結されるとともに、前記蓋側重なり部における前記箱体の外面に重ねられる側の面に取り付けられる刃取付部と、
を有し、
前記蓋側重なり部は、前記蓋側重なり部における前記箱体の外面に重ねられる側とは反対側の面同士が重なるように前記蓋側重なり部を屈曲させる屈曲部を有し、
前記屈曲部は、前記刃の前記刃先と前記刃取付部との間の位置において、前記箱体に収容される前記ラップフィルムの前記巻芯の軸線に沿って延在する、ラップフィルム用箱。
【請求項２】
前記箱体における前記蓋側重なり部が重ねられる部位には、前記屈曲部での屈曲が伸ばされた状態において、前記蓋側重なり部のうち、前記屈曲部よりも前記蓋本体部に連結される側とは反対側の部位を差し込み可能な第１スリットが設けられている、請求項１に記載のラップフィルム用箱。
【請求項３】
前記蓋側重なり部は、前記屈曲部よりも前記蓋本体部に連結される側とは反対側に設けられた差込部を有し、
前記箱体における前記蓋側重なり部が重ねられる部位には、前記差込部を差し込み可能な第２スリットが設けられている、請求項１又は２に記載のラップフィルム用箱。
【請求項４】
巻芯と、
前記巻芯に巻き回されたラップフィルムと、
前記巻芯及び前記ラップフィルムを収容する、請求項１〜３のいずれか一項に記載のラップフィルム用箱と、
を備えるラップフィルム収容体。
【発明の詳細な説明】
【技術分野】
【０００１】
本発明は、ラップフィルム用箱、及びラップフィルム収容体に関する。
【背景技術】
【０００２】
例えば、ロール状に巻き回されたラップフィルムが収容されたラップフィルム収容体がある。このようなラップフィルム収容体が、例えば特許文献１に記載されている。特許文献１に記載されたラップフィルム収容体は、ラップフィルムを収容する箱体と、箱体の開口部を覆う蓋体とを備えている。また、蓋体の端部には、ラップフィルムの巻芯の軸線に沿って延在する鋸刃状の切断部が設けられている。切断部は、ラップフィルム用箱から引き出されたラップフィルムを切断する。
【先行技術文献】
【特許文献】
【０００３】
【特許文献１】特開２０１３−２８４０２号公報
【発明の概要】
【発明が解決しようとする課題】
【０００４】
ここで、例えばラップフィルム収容体を持ち運ぶ等の場合、切断部が他の物に引っかかることがある。このため、本技術分野では、切断部が他の物に触れないように、切断部を覆うことが求められている。
【０００５】
そこで、本発明の一側面は、切断部を覆うことが可能なラップフィルム用箱、及びラップフィルム収容体を提供することを目的とする。
【課題を解決するための手段】
【０００６】
本発明の一側面は、巻芯に巻き回されたラップフィルムを収容するラップフィルム用箱であって、開口部を有し、ラップフィルムを収容する箱体と、箱体の開口部を覆う蓋体と、ラップフィルムを切断するための切断部と、を備え、蓋体は、箱体の開口縁のうち箱体に収容されるラップフィルムの巻芯の軸線に沿った部位に揺動可能に連結され、開口部を覆う蓋本体部と、蓋本体部における箱体に連結される側とは反対側の端縁に連結され、蓋本体部によって開口部が覆われたときに箱体の外面に重ねられる蓋側重なり部と、を有し、切断部は、蓋側重なり部における箱体の外面に重ねられる側の面に取り付けられるとともに、蓋側重なり部の外縁よりも内側の位置に設けられ、さらに、切断部は、箱体に収容されるラップフィルムの巻芯の軸線に沿って延在するとともに、刃先が蓋側重なり部における蓋本体部に連結される側とは反対側に向けられた刃と、刃における刃先とは反対側の端部に連結されるとともに、蓋側重なり部における箱体の外面に重ねられる側の面に取り付けられる刃取付部と、を有し、蓋側重なり部は、蓋側重なり部における箱体の外面に重ねられる側とは反対側の面同士が重なるように蓋側重なり部を屈曲させる屈曲部を有し、屈曲部は、刃の刃先と刃取付部との間の位置において、箱体に収容されるラップフィルムの巻芯の軸線に沿って延在する。
【０００７】
このラップフィルム用箱では、蓋側重なり部が屈曲部で屈曲させられることによって、屈曲させられた蓋側重なり部の外縁から切断部の刃が突出する。これにより、ラップフィルム用箱は、突出する切断部の刃によって、ラップフィルムを切断できる。そして、屈曲部の屈曲が伸ばされた状態では、蓋側重なり部によって切断部の外面側が覆われる。ここで、切断部が蓋側重なり部の外縁よりも内側の位置に設けられていることによって、屈曲部の屈曲が伸ばされた状態では、切断部が蓋側重なり部の外縁から突出しない。このように、ラップフィルム用箱は、屈曲部の屈曲を伸ばすことにより、蓋側重なり部によって切断部を覆うことができる。
【０００８】
ラップフィルム用箱において、箱体における蓋側重なり部が重ねられる部位には、屈曲部での屈曲が伸ばされた状態において、蓋側重なり部のうち、屈曲部よりも蓋本体部に連結される側とは反対側の部位を差し込み可能な第１スリットが設けられていてもよい。この場合、第１スリットに蓋側重なり部が差し込まれることで、蓋側重なり部が屈曲部で屈曲することが防止される。これにより、ラップフィルム用箱は、切断部が蓋側重なり部で覆われた状態を維持できる。また、第１スリットに蓋側重なり部が差し込まれることで、箱体に対して蓋体が開くことが防止される。これにより、ラップフィルム用箱は、箱体内に収容されたラップフィルムが飛び出ることを防止できる。
【０００９】
ラップフィルム用箱において、蓋側重なり部は、屈曲部よりも蓋本体部に連結される側とは反対側に設けられた差込部を有し、箱体における蓋側重なり部が重ねられる部位には、差込部を差し込み可能な第２スリットが設けられていてもよい。この場合、第２スリットに差込部が差し込まれることで、蓋側重なり部が屈曲部で屈曲することが防止される。これにより、ラップフィルム用箱は、切断部が蓋側重なり部で覆われた状態を維持できる。また、第２スリットに差込部が差し込まれることで、箱体に対して蓋体が開くことが防止される。これにより、ラップフィルム用箱は、箱体内に収容されたラップフィルムが飛び出ることを防止できる。
【００１０】
本発明の他の一側面はラップフィルム収容体であって、巻芯と、巻芯に巻き回されたラップフィルムと、巻芯及びラップフィルムを収容する上記のラップフィルム用箱と、を備える。
【００１１】
このラップフィルム収容体によれば、上記のラップフィルム用箱を備えているため、屈曲部での屈曲を伸ばすことにより、蓋側重なり部によって切断部を覆うことができる。
【発明の効果】
【００１２】
本発明の種々の側面によれば、切断部を覆うことができる。
【図面の簡単な説明】
【００１３】
【図１】実施形態に係るラップフィルム収容体の蓋体を開けた状態を示す斜視図である。
【図２】図１のラップフィルム収容体の蓋体を閉じた状態を示す斜視図である。
【図３】図２のＩＩＩ−ＩＩＩ線に沿った断面図である。
【図４】図２のラップフィルム収容体の蓋側重なり部が屈曲した状態を示す斜視図である。
【図５】図２のラップフィルム収容体の蓋側重なり部が屈曲した状態を示す正面図である。
【図６】図５のＶＩ−ＶＩ線に沿った断面図である。
【図７】図１のラップフィルム用箱からラップフィルムが引き出された状態を示す斜視図である。
【発明を実施するための形態】
【００１４】
以下、本発明の実施形態について図面を参照しながら説明する。なお、図面の説明において同一の要素には同一の符号を付し、重複する説明を省略する。
【００１５】
図１〜図３に示されるように、ラップフィルム収容体１は、ラップフィルム用箱２、ラップフィルム巻回体３、及び切断部４（図３参照）を備えている。
【００１６】
ラップフィルム巻回体３は、筒状の巻芯３１、及び巻芯３１に巻き回されたラップフィルム３２を備えている。巻芯３１は、軸線Ｐに沿って延在する略円筒状の部材である。巻芯３１の材質は、例えばボール紙等の紙であってもよい。ラップフィルム３２は、例えば、樹脂フィルム等であってもよい。このラップフィルム３２は、例えば、食品の包装用等に用いられる。
【００１７】
ラップフィルム用箱２は、ラップフィルム巻回体３を収容する。ラップフィルム用箱２の材質は、例えばボール紙等の紙であってもよい。ラップフィルム用箱２は、箱体５、及び蓋体６を備えている。箱体５は、開口部５ａを有し、内部に直方体形状の収容空間を有する箱状の部材である。箱体５は、ラップフィルム巻回体３を収容する。
【００１８】
以下、説明の便宜上のため、箱体５の底壁部５１（図３参照）に対して開口部５ａが設けられている側を「上」とし、その反対側を「下」とする。また、ラップフィルム用箱２は、巻芯３１の軸線Ｐが水平方向に延在するようにラップフィルム巻回体３を収容する。すなわち、上下方向の軸と、軸線Ｐとは、互いに直交している。上下方向の軸と軸線Ｐとのそれぞれに直交する軸を前後方向の軸とする。ただし、これらの「上」、「下」、「前」、「後」、及び「水平」は、説明の便宜上のために付したものであり、この向きでラップフィルム収容体１が用いられることに限定されない。
【００１９】
箱体５は、底壁部５１、前壁部５２、後壁部５３、側壁部５４、及び側壁部５５を備えている。底壁部５１は、軸線Ｐに沿って延びる長方形の板状を呈している。底壁部５１は、表面及び裏面がそれぞれ上側及び下側を向くように配置されている、前壁部５２は、底壁部５１の前側の端縁に連結され、底壁部５１から上方に向かって立ち上がっている。後壁部５３は、底壁部５１の後ろ側の端縁に連結され、底壁部５１から上方に向かって立ち上がっている。すなわち、前壁部５２と後壁部５３とは、前後方向において互いに対向している。
【００２０】
側壁部５４は、底壁部５１における軸線Ｐに沿った方向の一方の端縁に連結され、底壁部５１から上方に向かって立ち上がっている。側壁部５４における前側の端縁及び後ろ側の端縁は、前壁部５２及び後壁部５３にそれぞれ連結されている。側壁部５５は、底壁部５１における軸線Ｐに沿った方向の他方の端縁に連結され、底壁部５１から上方に向かって立ち上がっている。側壁部５５における前側の端縁及び後ろ側の端縁は、前壁部５２及び後壁部５３にそれぞれ連結されている。すなわち、側壁部５４と側壁部５５とは、軸線Ｐに沿った方向において互いに対向している。
【００２１】
前壁部５２の上端縁、後壁部５３の上端縁、側壁部５４の上端縁、及び側壁部５５の上端縁によって囲まれる領域が、箱体５の内側と外側とをつなぐ開口部５ａとなる。また、前壁部５２の上端縁、後壁部５３の上端縁、側壁部５４の上端縁、及び側壁部５５の上端縁は、開口部５ａの開口縁５ｂとなる。ラップフィルム巻回体３は、開口部５ａを介して箱体５内に収容される。さらに、ラップフィルム巻回体３のラップフィルム３２は、開口部５ａを介して箱体５から引き出される。
【００２２】
蓋体６は、箱体５の開口部５ａを覆う。具体的には、蓋体６は、蓋本体部６１、及び蓋側重なり部６２を備えている。蓋本体部６１は、箱体５の開口縁５ｂのうち箱体５に収容されるラップフィルム巻回体３の巻芯３１の軸線Ｐに沿った部位に揺動可能に連結されている。本実施形態において、蓋本体部６１は、箱体５の開口縁５ｂのうち、後壁部５３の上端縁に連結されている。蓋本体部６１は、後壁部５３に対して揺動させられることにより、開口部５ａを覆うことができる。ここで、蓋本体部６１の端縁のうち、箱体５に連結される側の端縁を端縁６１ａと称し、端縁６１ａとは反対側の端縁（端縁６１ａに対向する端縁）を端縁６１ｂと称する。
【００２３】
蓋側重なり部６２は、重なり本体部６２１、及び差込部６２２を備えている。重なり本体部６２１は、蓋本体部６１の端縁６１ｂに連結される。重なり本体部６２１は、蓋本体部６１によって開口部５ａが覆われたときに箱体５の外面に重ねられる。本実施形態において、重なり本体部６２１は、前壁部５２の外面に重ねられる。ここで、重なり本体部６２１の端縁のうち、蓋本体部６１の端縁６１ｂに連結される側の端縁を端縁６２１ａと称し、端縁６２１ａとは反対側の端縁（端縁６２１ａに対向する端縁）を端縁６２１ｂと称する。
【００２４】
差込部６２２は、重なり本体部６２１の端縁６２１ｂに揺動可能に連結されている。すなわち、蓋側重なり部６２は、屈曲部Ｋ（屈曲部Ｋについては後述する）よりも重なり本体部６２１の端縁６２１ｂ側に設けられた差込部６２２を有している。差込部６２２は、重なり本体部６２１の端縁６２１ｂにおける軸線Ｐに沿った方向の略中央に設けられている。
【００２５】
蓋本体部６１及び重なり本体部６２１における軸線Ｐに沿った両端部には、連結部６３及び６４がそれぞれ設けられている。連結部６３は、蓋本体部６１の一方の端縁と重なり本体部６２１の一方の端縁とを連結している。連結部６４は、蓋本体部６１の他方の端縁と重なり本体部６２１の他方の端縁とを連結している。これにより、蓋本体部６１に対する重なり本体部６２１の開き角度が変化しないように、重なり本体部６２１が蓋本体部６１に連結される。
【００２６】
切断部４は、箱体５から引き出されたラップフィルム３２を切断する。切断部４は、重なり本体部６２１における箱体５の前壁部５２に重ねられる側の面に取り付けられる。また、切断部４は、重なり本体部６２１の外縁よりも内側の位置に設けられている。切断部４の材質は、例えば、金属、樹脂等であってもよい。
【００２７】
より詳細には、切断部４は、刃４１、及び刃取付部４２を備えている。刃４１は、箱体５に収容されるラップフィルム３２の巻芯３１の軸線Ｐ方向に沿って延在している（図５参照）。また、刃４１は、刃先４１ａが重なり本体部６２１の端縁６２１ａ側に対して反対側を向くように設けられている。すなわち、刃４１は、後述する屈曲部Ｋが伸ばされた状態（図３に示される状態）で、刃先４１ａが重なり本体部６２１の端縁６２１ｂ側を向くように設けられている。
【００２８】
本実施形態において、刃４１は、鋸刃状の刃となっている。刃４１の刃先４１ａとは、鋸刃の山の先端部である。刃４１は、重なり本体部６２１の端縁６２１ａと端縁６２１ｂとの間の略中央位置において、巻芯３１の軸線Ｐ方向に沿って延在している。刃取付部４２は、刃４１の基端側の端部（刃先４１ａとは反対側の端部）に連結されている。刃取付部４２は、重なり本体部６２１における箱体５の前壁部５２に重ねられる側の面に取り付けられている。このように、刃４１は、刃取付部４２によって重なり本体部６２１に取り付けられる。
【００２９】
ここで、切断部４が取り付けられる重なり本体部６２１は、屈曲部Ｋを有している。より詳細には、図４〜図６に示されるように、屈曲部Ｋは、重なり本体部６２１における箱体５の前壁部５２に重ねられる側とは反対側の面同士が重なるように重なり本体部６２１を屈曲させる。また、屈曲部Ｋは、刃４１の刃先４１ａと刃取付部４２との間の位置において、巻芯３１の軸線Ｐに沿って延在している。すなわち、重なり本体部６２１が屈曲部Ｋにおいて屈曲させられたときに、屈曲させられた重なり本体部６２１の外縁（屈曲部Ｋの部分）から刃４１が突出する（図６参照）。
【００３０】
ここで、屈曲部Ｋは、屈曲部Ｋの位置で重なり本体部６２１を屈曲させることができる構成を有している。例えば、屈曲部Ｋは、屈曲線（折り曲げの線）に沿って複数設けられたスリット又は孔によって構成されていてもよい。例えば、屈曲部Ｋは、重なり本体部６２１に予め付けられた折り目によって構成されていてもよい。例えば、屈曲部Ｋは、屈曲線に沿って設けられた脆弱部によって構成されていてもよい。ここでの脆弱部は、例えば、重なり本体部６２１の他の部位に比べて、屈曲線に沿った部位の厚さが薄く形成される又は強度が弱く形成されることによって構成されていてもよい。屈曲部Ｋは、屈曲部Ｋの位置で重なり本体部６２１の屈曲を誘発できる構成であれば、上述した構成に限定されず他の構成が用いられてもよい。
【００３１】
図１及び図２に示されるように、前壁部５２には、蓋側重なり部６２の重なり本体部６２１が重ねられたときに重なり本体部６２１の端縁６２１ｂ側の角部をそれぞれ差し込み可能なスリット（第１スリット）Ｓ１及びスリット（第１スリット）Ｓ２が設けられている。すなわち、前壁部５２には、屈曲部Ｋでの屈曲が伸ばされた状態において、重なり本体部６２１のうち、屈曲部Ｋよりも端縁６２１ｂ側の部位を差し込み可能なスリットＳ１及びＳ２が設けられている。スリットＳ１は、前壁部５２のうち、軸線Ｐに沿った方向における側壁部５４側の端部に設けられている。スリットＳ２は、前壁部５２のうち、軸線Ｐに沿った方向における側壁部５５側の端部に設けられている。
【００３２】
スリットＳ１は、前壁部５２における側壁部５４に連結される側の端縁から前壁部５２における下側の端縁にわたって円弧状に延在している。スリットＳ２は、前壁部５２における側壁部５５に連結される側の端縁から前壁部５２における下側の端縁にわたって円弧状に延在している。
【００３３】
また、図１〜図３に示されるように、前壁部５２には、蓋側重なり部６２の重なり本体部６２１が重ねられたときに差込部６２２を差し込み可能なスリット（第２スリット）Ｓ３が設けられている。スリットＳ３は、前壁部５２のうち、下側の端縁近傍、かつ軸線Ｐに沿った方向における略中央位置に設けられている。スリットＳ３は、差込部６２２を差し込み可能なように、軸線Ｐに沿って延在している。
【００３４】
図２に示されるように、スリットＳ１〜Ｓ３には、ラップフィルム収容体１が持ち運ばれるとき等、ラップフィルム収容体１の不使用時に重なり本体部６２１の角部及び差込部６２２が差し込まれる。重なり本体部６２１の角部等がスリットＳ１等に差し込まれることにより、ラップフィルム収容体１は、箱体５の開口部５ａが蓋体６によって閉じられた状態を維持することができる。すなわち、ラップフィルム巻回体３が箱体５から飛び出ることが防止される。また、重なり本体部６２１の角部等がスリットＳ１等に差し込まれることにより、ラップフィルム収容体１は、前壁部５２と重なり本体部６２１との間に切断部４を挟み込む。すなわち、ラップフィルム収容体１は、重なり本体部６２１によって切断部４の外面側を覆うことができる。
【００３５】
次に、図７を用いて、使用者がラップフィルム用箱２からラップフィルム３２を引き出して切断する手順について説明する。使用者は、スリットＳ１〜Ｓ３から、重なり本体部６２１の角部及び差込部６２２を引き抜く。そして、使用者は、蓋体６を開け、箱体５から開口部５ａを介してラップフィルム３２を引き出す。ラップフィルム３２を引き出した後、使用者は、重なり本体部６２１を屈曲部Ｋで屈曲させて、屈曲させた重なり本体部６２１の外縁から切断部４の刃４１を突出させる。使用者は、蓋体６を閉じて、箱体５の前壁部５２と蓋体６の重なり本体部６２１とでラップフィルム３２を挟み込む（図７の状態）。これにより、ラップフィルム３２が箱体５から引き出されることが規制される。そして、使用者は、引き出されたラップフィルム３２に対してラップフィルム用箱２をひねり、切断部４の刃４１を用いて刃４１に沿ってラップフィルム３２を切断する。なお、使用者は、ラップフィルム用箱２に対してラップフィルム３２をひねることによって、ラップフィルム３２を切断してもよい。
【００３６】
使用者は、ラップフィルム収容体１を使わないときには、蓋体６を閉じて重なり本体部６２１の屈曲部Ｋでの屈曲を伸ばし、重なり本体部６２１の角部及び差込部６２２をスリットＳ１〜Ｓ３にそれぞれ差し込む。
【００３７】
以上のように、このラップフィルム収容体１では、蓋側重なり部６２の重なり本体部６２１が屈曲部Ｋで屈曲させられることによって、屈曲させられた重なり本体部６２１の外縁（屈曲部Ｋの部分）から切断部４の刃４１が突出する。これにより、ラップフィルム用箱２は、突出する切断部４の刃４１によって、ラップフィルム３２を切断できる。そして、屈曲部Ｋでの屈曲が伸ばされた状態では、蓋側重なり部６２の重なり本体部６２１によって切断部４の外面側が覆われる。ここで、切断部４が重なり本体部６２１の外縁よりも内側の位置に設けられていることによって、屈曲部Ｋでの屈曲が伸ばされた状態では、切断部４が重なり本体部６２１の外縁から突出しない。このように、ラップフィルム用箱２は、屈曲部Ｋでの屈曲を伸ばすことにより、蓋側重なり部６２の重なり本体部６２１によって切断部４を覆うことができる。
【００３８】
スリットＳ１及びＳ２には、重なり本体部６２１における端縁６２１ｂ側の角部がそれぞれ差し込まれる。この場合、スリットＳ１及びＳ２に重なり本体部６２１の角部が差し込まれることで、重なり本体部６２１が屈曲部Ｋで屈曲することが防止される。これにより、ラップフィルム用箱２は、切断部４が重なり本体部６２１で覆われた状態を維持できる。また、スリットＳ１及びＳ２に重なり本体部６２１の角部が差し込まれることで、箱体５に対して蓋体６が開くことが防止される。これにより、ラップフィルム用箱２は、箱体５内に収容されたラップフィルム巻回体３が飛び出ることを防止できる。
【００３９】
スリットＳ３には、重なり本体部６２１の端縁６２１ｂに連結された差込部６２２が差し込まれる。この場合、スリットＳ３に差込部６２２が差し込まれることで、重なり本体部６２１が屈曲部Ｋで屈曲することが防止される。これにより、ラップフィルム用箱２は、切断部４が重なり本体部６２１で覆われた状態を維持できる。また、スリットＳ３に差込部６２２が差し込まれることで、箱体５に対して蓋体６が開くことが防止される。これにより、ラップフィルム用箱２は、箱体５内に収容されたラップフィルム巻回体３が飛び出ることを防止できる。
【００４０】
以上、本発明の実施形態について説明したが、本発明は、上記実施形態に限定されるものではない。例えば、箱体５の前壁部５２には、重なり本体部６２１の角部が差し込まれるスリットＳ１及びＳ２が設けられておらず、差込部６２２が差し込まれるスリットＳ３のみが設けられていてもよい。また、箱体５の前壁部５２には、差込部６２２が差し込まれるスリットＳ３が設けられておらず、重なり本体部６２１の角部が差し込まれるスリットＳ１及びＳ２のみが設けられていてもよい。スリットＳ１〜Ｓ３の形状は、上述した形状以外の形状であってもよい。また、ラップフィルム用箱２は、スリットＳ１〜Ｓ３を用いた方法以外の方法によって、重なり本体部６２１が屈曲部Ｋで屈曲すること及び蓋体６が開くことを防止してもよい。
【００４１】
また、刃４１は、鋸刃状の刃に限定されない。刃４１は、ラップフィルム３２を切断できれば、鋸刃状以外の形状の刃であってもよい。
【符号の説明】
【００４２】
１…ラップフィルム収容体、２…ラップフィルム用箱、４…切断部、５…箱体、５ａ…開口部、５ｂ…開口縁、６…蓋体、３１…巻芯、３２…ラップフィルム、４１…刃、４１ａ…刃先、４２…刃取付部、６１…蓋本体部、６２…蓋側重なり部、６２２…差込部、Ｋ…屈曲部、Ｐ…軸線、Ｓ１，Ｓ２…スリット（第１スリット）、Ｓ３…スリット（第２スリット）。
【図１】
2020183257.tif 000003
【図２】
2020183257.tif 000004
【図３】
2020183257.tif 000005
【図４】
2020183257.tif 000006
【図５】
2020183257.tif 000007
【図６】
2020183257.tif 000008
【図７】
2020183257.tif 000009